(57)【要約】      （修正有）【課題】耐火内装の回転炉内に内設した特殊機構の機能で含水含油物、汚染土、焼却灰等を連続熱処理及びクリーン燃焼を可能にした燃焼システムを提供する。【解決手段】耐火内装の回転炉内でド−ナツ形の高密度の炎が炉内で高速回転の特殊なバ−ナ−を活用したことと、回転炉内に内設した熱処理材物の定量送り機構で炉内温度の安定化に成功、熱処理材物の連続投入、連続排出を可能にし、移動が容易で小型化が可能な本機構によって課題を解決した。【選択図】図１
0003154230.tif 000002
【実用新案登録請求の範囲】
【請求項１】
本考案は耐火内装の回転炉内に内設した耐熱円筒内に回転式螺旋構造の熱処理材物の送り機構を設置その先端に拡散羽を付けた含水含油物、汚染土、焼却灰等の連続熱処理及びクリ−ン燃焼システムを特徴とする。
【請求項２】
本考案は大韓民国特許登録番号４２００２号バ−ナ−の特長である炎が炉内を回転しながら前進する燃焼法で、その回転炎の前進に対して炎の中心部の奥に向かって炉外から外気を吸い込む作用を図１の耐火内装の回転炉内に改良活用、ド−ナツ形で高密度の炎が炉内で高速回転の燃焼を可能にした。
【考案の詳細な説明】
【技術分野】
【０００１】本考案は耐火内装の回転炉内に内設した特殊機構の機能で含水含油物、汚染土、焼却灰等を連続熱処理及びクリ−ン燃焼を可能にした技術。
【背景技術】
【０００２】  例えば食品残渣のような含水含油物やダイオキシン汚染土、焼却灰等を従来の燃焼炉での無害化技術では無害化を目的とした材物を熱処理炉内に投入すると一時的に炉内の一部分の温度が低下して炉内の温度が回復するまでの間に有害物質が排煙に含まれる課題が未解決にある。
【先行技術文献】
【特許文献】
【０００３】
【特許文献１】日本国特許庁、特開２００２−３７２２１３（Ｐ２００２−３７２２１３Ａ）代表図面
【考案の概要】
【考案が解決しようとする課題】
【０００４】  食品残渣のような含水含油物やダイオキシン汚染土、焼却灰等の無害化熱処理の方法ではセメント工場の大型高温炉や溶融炉の巨大設備で無害化処理がされているが、それらの巨大炉でも炉内の温度分布が均一を欠き炉内の低温部分からは有害物質が排煙に含まれる課題が未解決にある。
【課題を解決するための手段】
【０００５】  本考案はド−ナツ形で高密度の炎が炉内で高速回転の特徴の特殊なバ−ナ−を活用したことと、回転炉内に内設した熱処理材物の定量送り機構の考案で炉内温度の安定化に成功、熱処理材物の連続投入、連続排出を可能にし、移動が容易で小型化が可能な本考案によって既存の多くの課題を解決した。
図２の１は大韓民国特許公告番号１９９１−６７４特許登録番号４２００２号バ−ナ−の外面、内面機構は図１の１９，２０、２１，２２、２３，２４，２５，２６に示した。図２の５の耐火内装の回転炉内には図１の２７、２８，２９ａ−２９ｄまでと３０、３１の機構を内設、３２の燃焼室ではド−ナツ形で高密度の炎が高速回転で燃焼。
【考案の効果】
【０００６】  前［０００２］で説明の既存の技術分野では無害化を目的とした材物を熱処理炉に連続投入すれば一時的に炉内の一部分の温度が低下して炉内の温度が回復するまでの間に有害物質が排煙に含まれてクリ−ン熱処理、燃焼が未解決で課題となっていたが本考案機構によってこれまでの課題を解決、環境産業への利用分野を拡大。
【図面の簡単な説明】
【０００７】
【図１】本考案の耐火内装の回転炉内に内設した特殊機構の機能で含水含油物、汚染土、焼却灰等を連続熱処理及びクリ−ン燃焼を可能にした考案の実施例を示す断面図。
【図２】本考案機構全体の外型図。
【考案を実施するための形態】
【０００８】  図２、２のモ−トルで５の耐火内装の回転炉が回転する。図１の１９，２０，２１，２２，２３，２４，２５、２６で構成のバ−ナ−が運転。図２の６，７から燃料が供給され、図１の３２内でド−ナツ形で高密度の炎が炉内で高速回転の燃焼となる。２８は３２の燃焼室内でド−ナツ形の回転炎幅の調整壁。図１、８のモ−トルによって２７の内部機構３０の回転が始まり１１に投入の熱処理材物は３０の回転によって３１に送られ燃えやすく攪拌されて熱処理、燃焼され２９ａ、２９ｂ、２９ｃ、２９ｄの螺旋によって１３の炉外に排出される。
１２の煙突体は１６によって固定支えられ５の回転炉は１２の煙突体に５０ｍｍ程度入っているが回転炉と煙突体には１０ｍｍ程度の隙間があり回転炉の熱膨張に対しても回転に支障がなくスム−ズな連続運転を可能にしている。
熱処理材物に水分が極めて少ない場合は３２の燃焼室内に酸素補給のために１０から加湿補給をする。
【実施例】
【０００９】  耐火内装の回転炉内の耐熱円筒２７は熱処理材物の送り機構でその内部は３０に示す螺旋機構、先端の３１は１１から３０によって燃焼室に送られる熱処理材物を燃えやすくするための３１は攪拌羽、この機構の機能で処理効率を向上させた。
【産業上の利用可能性】
【００１０】  食品残渣のような含水含油物やダイオキシン汚染上、焼却灰等を従来の燃焼炉方式での無害化技術では無害化を目的とした物を熱処理炉に連続投入すると、一時的に炉内の一部分の温度が低下して炉内の温度が回復するまでの間に有害物質が排煙に含まれてクリ−ン熱処理、燃焼が既存の技術では困難で未解決にある。
本考案ではこれらの課題を図１、図２、特殊機構の機能の考案によって解決、セメント工場の大型高温炉や溶融炉の巨大設備での無害化処理とは異なる方法で移動が容易、小型化を可能にした本考案によって環境産業への利用分野を拡大。
【符号の説明】
【００１１】  １  バ−ナ−の外筒部
２  耐火内装の回転炉の動力源モ−トル
３  プ−リ−とＶベルト
４  耐火内装の回転炉を回転させるロ−ル
５  耐火内装の回転炉
６  バ−ナ−の点火用ガスの供給管
７  燃料の供給管
８  熱処理物を炉内に送る螺旋装置の動力源モ−トル
９  Ｖベルト
１０  水分の補給用管
１１  熱処理物を炉内に送る螺旋装置の入り口
１２  煙突
１３  熱処理済み物の出口
１４ａ  バ−ナ−の台座足
１４ｂ  バ−ナ−の台座足
１５ａ  耐火内装の回転炉の台座足
１５ｂ  耐火内装の回転炉の台座足
１５ｃ  耐火内装の回転炉の台座足
１５ｄ  耐火内装の回転炉の台座足
１６  煙突全体の支え台座足（回転炉と煙突体の隙間は１０ｍｍ）
１７  本考案機の台座
１８  １０の固定具
１９  バ−ナ−の動力源モ−トル
２０  モ−トル付のプ−リ−
２１  バ−ナ−のシャフト付のプ−リ−
２２  バ−ナ−の空冷用のファン
２３  風力調整用ダンパ−
２４  補充空気穴
２５  バ−ナ−の風力ファン
２６  燃料の出口と燃焼ガスの発生部分
２７  耐火内装の回転炉内の燃焼室内に設置した耐熱円筒の熱処理物の送り筒
２８  ド−ナツ形炎で高速回転の炎幅の調整壁
２９ａ  熱処理された物を炉外１３へ排出する炉端の螺旋羽
２９ｂ  熱処理された物を炉外１３へ排出する炉端の螺旋羽
２９ｃ  熱処理された物を炉外１３へ排出する炉端の螺旋羽
２９ｄ  熱処理された物を炉外１３へ排出する炉端の螺旋羽
３０  熱処理物を燃焼室に送る回転式螺旋装置
３１  図１の３０の螺旋端に設置の熱処理物を燃えやすくする攪拌羽
３２  ド−ナツ形炎の高速回転燃焼室
【図１】
0003154230.tif 000003
【図２】
0003154230.tif 000004
【手続補正書】
【提出日】平成21年4月30日(2009.4.30)
【手続補正１】
【補正対象書類名】実用新案登録請求の範囲
【補正対象項目名】全文
【補正方法】変更
【補正の内容】
【実用新案登録請求の範囲】
【請求項１】
耐火内装の回転炉内に内設した耐熱円筒内に、回転式螺旋構造の熱処理物の送り機構を設置し、その先端に拡散羽を付けたことを特徴とする含水含油物、汚染土、焼却灰等のクリ−ン燃焼システム。
【請求項２】
ド−ナツ形の炎が高速回転しながら炉内を前進するのに対し、それとは逆に炎の中心奥部へ向かって外気を吸い込む作用がある特徴の大韓民国特許登録番号４２００２号のバ−ナ−と、請求項１の機構を組み合わせた構造。
【手続補正書】
【提出日】平成21年7月9日(2009.7.9)
【手続補正１】
【補正対象書類名】実用新案登録請求の範囲
【補正対象項目名】全文
【補正方法】変更
【補正の内容】
【実用新案登録請求の範囲】
【請求項１】
耐火内装の回転炉内に内設した耐熱円筒内に、回転式螺旋構造の熱処理物の送り機構を設置し、その先端に拡散羽を付けたことを特徴とする含水含油物、汚染土、焼却灰等のクリ−ン燃焼システム。
【請求項２】
請求項１のシステムに組み合わせのバ−ナ−は炎がド−ナツ形で高速横回転運動で耐熱円筒炉の内壁に強烈に接しながら前進する炎の流れで、その炎の中心奥部に向かっては高温ガス気体を吸い込む現象による燃焼効率の高いバ−ナ−を組み合わせた特徴の構造。